(57)【要約】【課題】  換気機能を有するとともに、空気清浄効果を室内全体にゆきわたらせることができ、また、転倒による静電霧化装置内の液体のこぼれを防止することができる換気設備を提供する。【解決手段】  換気扇または換気システムの室内吹き出し口部（F）内に、帯電微粒子水を生成する静電霧化装置（１）の吹き出し口（１０１）が設けられているものとする。【選択図】図１
2005233587.tif 000002
【特許請求の範囲】
【請求項１】
換気扇または換気システムの室内吹き出し口部内に、帯電微粒子水を生成する静電霧化装置の吹き出し口が設けられていることを特徴とする換気設備。
【請求項２】
静電霧化装置の吹き出し口は、換気扇または換気システムの室内吹き出し口部内のフィルタの室内側に設けられていることを特徴とする請求項１記載の換気設備。
【請求項３】
静電霧化装置の吹き出し口は、換気扇または換気システムの室内吹き出し口部内のフィルタの屋外側に設けられていることを特徴とする請求項１記載の換気設備。
【請求項４】
換気システムは、取り込んだ外気を給気管を通じて室内に給気するシステムを少なくともその一部として有し、給気管からの給気を室内に吹き出す室内吹き出し口部内に静電霧化装置の吹き出し口が設けられていることを特徴とする請求項１から３のいずれかに記載の換気設備。
【請求項５】
換気システムは、室内の空気を排気管を通じて屋外に排気するシステムを少なくともその一部として有していることを特徴とする請求項１から４のいずれかに記載の換気設備。
【請求項６】
換気扇または換気システムの室内吹き出し口部は、換気用の熱交換素子を具備した熱交換換気扇または熱交換ユニットとして構成されていることを特徴とする請求項１から５のいずれかに記載の換気設備。
【請求項７】
換気扇または換気システムの室内吹き出し口部は、換気機能付きまたは熱交換換気機能付きの空調機として構成されていることを特徴とする請求項１から５のいずれかに記載の換気設備。
【発明の詳細な説明】
【技術分野】
【０００１】
この出願の発明は、換気設備に関するものである。さらに詳しくは、この出願の発明は、換気機能を有するとともに、空気清浄効果を室内全体にゆきわたらせることができ、また、転倒による静電霧化装置内の液体のこぼれを防止することができる、新しい換気設備に関するものである。
【背景技術】
【０００２】
従来、室内の空気清浄化、あるいは、室内の温度や湿度の制御等の空気環境を整えるためには、空気清浄機や換気システムを利用することが知られている。
【０００３】
たとえば、空気清浄機を利用した空気環境の整備では、空気清浄機の内部に殺菌作用を有する液体、あるいは、脱臭作用を有する液体等、種々の機能作用を有する機能性液体を溜めることのできる液体溜め部を備え、これら機能性液体を霧化して放出することのできる静電霧化装置を搭載した空気清浄機を利用したものが提案されている（特許文献１）。この空気清浄機では、フィルタによる細菌や臭い等の除去に加え、前記機能性液体の霧化・放出による、細菌や臭い等の除去も実現することができるようにしている。
【０００４】
また、一方、従来の換気システムでは、たとえば、図１３に示したような、給気ファン（ア）を各室内（イ）に設置し、排気ファン（ウ）をトイレ（エ）や洗面所（オ）に設置して、家全体の換気を行う換気システムが知られている。
【特許文献１】特開２００３−７９７１４号公報
【発明の開示】
【発明が解決しようとする課題】
【０００５】
しかしながら、上記特許文献１に記載された空気清浄機については、換気機能を有していないため、室内で発生した二酸化炭素等のガス状物質や湿気を屋外へ排出することは困難であるという問題があった。また、空気清浄機の設置形態としては、据え置きタイプであることが多く、空気清浄機本体が転倒した場合、静電霧化に使用する前記機能性液体がこぼれ、電源部等の電気系統を濡らして危険な状態になるという問題もあった。
【０００６】
また、上記図１３に例示した換気システムでは、二酸化炭素等のガス状物質や湿気を屋外へ排出する等の室内（イ）の空気を入れ換える（換気機能）だけであって、室内（イ）に存在する細菌や臭い等の各種の有害物質の除去や分解を行って空気清浄効果を得ることができないという問題があった。
【０００７】
そこで、以上のとおりの背景から、この出願の発明は、従来の問題点を解消して、換気機能を有するとともに、空気清浄効果を室内全体にゆきわたらせることができ、また、転倒による静電霧化装置内の液体のこぼれを防止することができる、新しい換気設備を提供することを課題としている。
【課題を解決するための手段】
【０００８】
この出願の発明は、上記の課題を解決するものとして、第１には、換気扇または換気システムの室内吹き出し口部内に、帯電微粒子水を生成する静電霧化装置の吹き出し口が設けられていることを特徴とする換気設備を提供する。
【０００９】
また、この出願の発明は、第２には、静電霧化装置の吹き出し口は、換気扇または換気システムの室内吹き出し口部内のフィルタの室内側に設けられていることを特徴とする換気設備を提供し、そして、第３には、静電霧化装置の吹き出し口は、換気扇または換気システムの室内吹き出し口部内のフィルタの屋外側に設けられていることを特徴とする換気設備を提供する。
【００１０】
さらにこの出願の発明は、第４には、換気システムは、取り込んだ外気を給気管を通じて室内に給気するシステムを少なくともその一部として有し、給気管からの給気を室内に吹き出す室内吹き出し口部内に静電霧化装置の吹き出し口が設けられていることを特徴とする換気設備を提供し、第５には、換気システムは、室内の空気を排気管を通じて屋外に排気するシステムを少なくともその一部として有していることを特徴とする換気設備を、第６には換気扇または換気システムの室内吹き出し口部は、換気用の熱交換素子を具備した熱交換換気扇または熱交換ユニットとして構成されていることを特徴とする換気設備を、第７には、換気扇または換気システムの室内吹き出し口部は、換気機能付きまたは熱交換換気機能付きの空調機として構成されていることを特徴とする換気設備を提供する。
【発明の効果】
【００１１】
上記のとおりのこの出願の第１の発明の換気設備によれば、空気の入れ換え等といった換気機能を有するとともに、ウイルス、細菌およびカビの不活化作用、脱臭作用等の空気清浄効果を室内全体にゆきわたらせることができ、転倒による静電霧化装置内の液体のこぼれを防止することができる。
【００１２】
また、第２の発明によれば、上記第１の発明の効果に加え、フィルタを通過したクリーンな空気と静電霧化装置によって霧化された機能性液体とが混合されて給気され、より効果的に室内全体の空気清浄効果を得ることができる。
【００１３】
第３の発明によれば、上記第１の発明の効果に加え、フィルタの目を粗めにすることができ、フィルタにおける空気清浄に係る圧力損失を小さくすることができ、ファンの低騒音化、小電力化を図ることができる。
【００１４】
第４の発明によれば、天井裏等の空間に設置した給気管からの各部屋への外気の導入に際し、清浄化換気が所要の部屋毎に可能とされ、住宅等の全体においても効果的な空気清浄効果をきめ細かく実現することができる。
【００１５】
第５の発明によれば、以上のような空気清浄化の効果とともに、室内の汚れた空気の集中的な効率的な排気も可能とされる。
【００１６】
第６および第７の発明によれば、以上のような空気清浄化の効果とともに、熱交換や空調による効果も実現されることになる。
【発明を実施するための最良の形態】
【００１７】
この出願の発明は、上記のとおりの特徴をもつものであるが、以下に、添付した図面に沿って、この出願の発明の実施形態について詳細かつ具体的に説明する。
【００１８】
図１は、この出願の発明の換気設備の一実施形態を例示した分解斜視図である。図２は、静電霧化装置の内部構成例を模式的に示した断面図である。
【００１９】
図１の例では、ファン（３）およびフィルタ（４）、これらを収納する複数の空気孔（５１）を有するルーバー（５）を備えた換気システム（もしくは、換気扇）において、この換気システム（もしくは、換気扇）の室内吹き出し口部（F）内に、液体（２）を溜める液体溜め部（２１）を有する静電霧化装置（１）の吹き出し口（１０１）が設けられている。換気システム（もしくは、換気扇）としては、ファンを備えていない自然給気方式のものでもよいが、効率よく屋外の空気（外気）を取り込み、また、室内へ吹き出し給気する際に、これを効率化するために、ファン（３）等による強制給気方式を採用することが好ましい。
【００２０】
静電霧化装置（１）には、電源部（６）等も具備されているが、たとえば、また、図１に例示しているように、フィルタ（４）を用いることが換気設備として好ましいが、環境条件等によってはこれを具備していなくてもよい。
【００２１】
図２に例示したように、静電霧化装置（１）は、吹き出し口（１０１）、生成槽（１０２）、液溜め部（１０３）、霧化手段（１０４）および霧化槽（１０５）等で構成され、生成槽（１０２）、液溜め部（１０３）および霧化槽（１０５）とが連通している。
【００２２】
生成槽（１０２）では、より効果的な抗ウイルス作用、殺菌作用、脱臭作用等を得るために、後述の帯電微粒子水を発生させるために使用する水等の液体（２）に抗ウイルス剤、殺菌剤、脱臭剤等を配合する等して、機能性液体を生成させることができる。もちろん、上記液体（２）は、抗ウイルス剤や殺菌剤、脱臭剤等を配合していない液体（２）、たとえば、水道水や蒸留水、イオン水、オゾン水等の各種の水を使用することもできる。
【００２３】
そして、このような液体（２）は生成槽（１０２）から液体溜め部（１０３）に供給されて溜められる。液体溜め部（１０３）に溜められた液体（２）に電圧の印加等の霧化手段（１０４）により、霧化槽（１０５）内で液体（２）を霧化（静電霧化）させることができる。静電霧化された液体、すなわち、帯電微粒子水（７）は、活性種（たとえば、ヒドロキシラジカルやスーパーオキサイド等）を有し、しかも強い電荷量も有することになり、吹き出し口（１０１）から吹き出される。このような電荷を有する帯電微粒子水（７）には、空気中のウイルス、細菌、カビ等の不活化、さらに脱臭作用等といった作用を有しているため、室内の空気環境を浄化するのに極めて有効である。このため、屋外から導かれた空気（外気）を前記帯電微粒子水（７）とともにファン（３）で室内へと送り込むことにより、空気の入れ換え等といった換気機能とともに、室内全体に抗ウイルス作用、殺菌作用、脱臭作用等の空気清浄効果を室内全体にゆきわたらせることができ、快適な室内環境を実現することができる。なお、霧化手段（１０４）は、電圧印加装置以外にも、超音波装置等を使用することができる。
【００２４】
以上のようなこの出願の発明の換気設備は、天井や壁等に配設することができるため、転倒等は発生しない。このため、従来の転倒による静電霧化装置内の液体の漏れを防止することができる。
【００２５】
また、この出願の発明の換気設備では、上記のようにフィルタ（４）を具備する場合には、図３に例示したように静電霧化装置（１）の吹き出し口は、換気扇または換気システムの室内吹き出し口部（F）内のフィルタ（４）の室内側に、つまりフィルタ（４）の下流側になるように設置してもよいし、図４に例示したように静電霧化装置（１）の吹き出し口は換気扇または換気システムの室内吹き出し口部（F）内のフィルタ（４）の屋外側に、つまりフィルタ（４）の上流側になるように設置してもよい。
【００２６】
図３に例示した配置では、ファン（３）を介して外部より取り込まれた空気をフィルタ（４）で清浄化することができ、この清浄化されたクリーンな空気を、さらに静電霧化装置（１）にて発生させた帯電微粒子水（７）により、抗ウイルス作用、殺菌作用、脱臭作用等の空気清浄効果がさらに付与された状態で、室内へと吹き出すことができる。
【００２７】
一方、図４に例示した配置では、ファン（３）により取り込まれた屋外の空気は、まず、前記帯電微粒子水（７）により、ウイルスおよび殺菌の不活化、脱臭等の清浄化が施され、ついで、この清浄化された空気がフィルタ（４）を通過させるため、フィルタ（４）の目を粗めにすることができ、フィルタ（４）における空気清浄に係る圧力損失を小さくすることができる。これにより、ファン（３）の消費電力を下げても必要な換気量が確保することができ、ファンの低騒音化、小電力化を実現することもできる。
【００２８】
なお、フィルタ（４）については、たとえば、不織布フィルタやHEPAフィルタ等各種のものを使用することができ、特に制限されるものではない。さらに、アリルイソチオシアネートやヒノキチオール等の抗菌効果、脱臭効果等を有する植物精油等を含ませたフィルタ（４）でもよい。
【００２９】
図５は、この出願の発明の換気設備のシステム構成例として、給気が強制給気方式、排気が自然排気方式の場合における空気の流れを示した平面模式図であり、また図６は、図５における室内吹き出し口部としての給気グリルの内部構成を例示した断面図である。
【００３０】
図５および図６の例では、ファン（３）を介して外気を取り込み、給気管（８）を通じて、各室内（９）に設けられている室内吹き出し口部としての給気グリル（１０）から室内（９）に給気している。給気グリル（１０）内には、静電霧化装置（１）が設けられており、給気管（８）を通じて導かれた空気に対して、その吹き出し口より吹き出した帯電微粒子水（７）を作用させている。そして、室内の排気は排気口（１１）を通じて自然排気させている。
【００３１】
図７は、この出願の発明の換気設備のシステム構成例として、給気が自然給気方式、排気が強制排気方式の場合における空気の流れを示した平面模式図であり、図８は、図７における室内吹き出し口部としての給気口の内部構成を例示した断面図である。
【００３２】
図７および図８の例では、室内吹き出し口部としての給気口（１２）にファンを備えていなくても、各室内（９）に設けられた室内吹き出し口部としての給気口（１２）から屋外の空気が自然給気され、静電霧化装置（１）からの帯電微粒子水（７）により清浄化されて、フィルタ（４）を通過して給気されることになる。排気は、排気グリル（１３）から取り込まれ、排気管（１４）を通じてファン（３）により効率よく屋外へ排気される。
【００３３】
また、この出願の発明の換気設備は、図９に例示したように、換気用の熱交換素子（１７）を具備した熱交換換気扇に適用することもできる。この換気用の熱交換素子（１７）は、通気孔（１９）を通じて矢印Aに示した屋外からの空気（外気）と、通気孔（２０）を通じて矢印Bに示した室内（９）からの空気（排気）とが、この換気用の熱交換素子（１７）を挟んで混じることなく温度のみ、または温湿度を伝え合うことができる。このため、熱ロスを抑制して省エネルギーを実現することができる。したがって、熱交換換気扇の室内吹き出し口部としての給気口（１２）内部に、静電霧化装置（１）と換気用の熱交換素子（１７）を配設することにより、ファン（図示せず）によって取り込まれた矢印Aに示した外気は、矢印Bに示した排気から適度な温度のみ、または温湿度を伝達され、静電霧化装置（１）からの帯電微粒子水（７）により清浄化され、適度な温度と湿度、さらには抗ウイルス作用や殺菌作用、脱臭作用等の種々の有益な作用を有したクリーンな空気となって室内全体に給気される。
【００３４】
図１０は、この出願の発明の換気設備のシステム構成例として、熱交換素子を有する熱交換換気ユニットを備えた場合における空気の流れを示した平面模式図である。
【００３５】
図１０に例示したとおり、上記のとおりの機能を有する熱交換素子（図示せず）を備えた熱交換換気ユニット（１５）を配設することにより、矢印Aに示した屋外からの空気（外気）と矢印Bに示した室内（９）からの空気（排気）とが、熱交換換気ユニット（１５）の内部に備えられた熱交換素子（図示せず）を挟んで混じることなく温度のみ、または温湿度を伝え合い、図６の例と同様に、給気グリル（１０）にて外気に静電霧化装置（１）によって発生させた帯電微粒子水（７）を作用させることができる。
【００３６】
さらに、図１１や図１２に例示したとおり、この出願の発明の換気設備は、換気機能付き、または、熱交換換気機能付きの空調機に適用することもできる。
【００３７】
図１１は、この出願の発明の換気設備を、換気機能を有した空調機に適用した実施形態を例示した断面図である。この図１１の例を説明すると、矢印Aで示した屋外からの空気（外気）は、静電霧化装置（１）からの帯電微粒子水（７）と合流・作用させている。そして、矢印Cで示した室内の空気（循環空気）は、空調機（１６）によって取り込まれ、空調機用の熱交換素子（１８）を介することによって、適切な温度、湿度が付与され、前記の帯電微粒子水（７）と合流・作用された矢印Aの外気とともに室内に給気される。
【００３８】
また、図１２は、この出願の発明の換気設備を、換気用の熱交換素子と空調機用の熱交換素子とを備えた換気機能付き空調機に適用した実施形態を例示した断面図である。
【００３９】
図１２に例示したとおり、空調機（１６）の内部には、換気用の熱交換素子（１７）とともに空調機（１６）用の熱交換素子（１８）が備えられている。このため、図９の例と同様に、矢印Aに示した外気は、矢印Bに示した排気から適度な温度および湿度を伝達し合い、静電霧化装置（１）からの帯電微粒子水（７）により清浄化される。また、矢印Cで示した室内の空気（循環空気）は、空調機（１６）によって取り込まれ、空調機用の熱交換素子（１８）を介することによって、適切な温度、湿度が付与される。このとき、矢印Cで示した循環空気は、当然に帯電微粒子水（７）によって清浄化された室内の空気であってもよい。これによって、帯電微粒子水（７）が有する種々の有益な効果作用が付与されたクリーンな空気に、さらに適度な温度と湿度を付与することができ、室内をより快適で、クリーンな空気環境とすることができる。
【００４０】
もちろん、この出願の発明の換気設備は、以上の例示によって限定されるものではない。
【図面の簡単な説明】
【００４１】
【図１】この出願の発明の換気設備の一実施形態を例示した分解斜視図である。
【図２】静電霧化装置の内部構成例を模式的に示した断面図である。
【図３】静電霧化装置の吹き出し口を室内吹き出し口部内のフィルタの室内側に設置した状態を例示した断面図である。
【図４】静電霧化装置の吹き出し口を室内吹き出し口部内のフィルタの屋外側に設置した状態を例示した断面図である。
【図５】この出願の発明の換気設備のシステム構成例として、給気が強制給気方式、排気が自然排気方式の場合における空気の流れを示した平面模式図である。
【図６】図５における室内吹き出し口としての給気グリルの内部構成を例示した断面図である。
【図７】この出願の発明の換気設備のシステム構成例として、給気が自然給気方式、排気が強制排気方式の場合における空気の流れを示した平面模式図である。
【図８】図７における室内吹き出し口としての給気口の内部構成を例示した断面図である。
【図９】この出願の発明の換気設備において、熱交換換気扇の内部構成を例示した断面図である。
【図１０】この出願の発明の換気設備のシステム構成例として、熱交換換気ユニットを備えた場合における空気の流れを示した平面模式図である。
【図１１】この出願の発明の換気設備を、換気機能を有した空調機に適用した実施形態を例示した断面図である。
【図１２】この出願の発明の換気設備を、換気用の熱交換素子と空調機用の熱交換素子とを備えた換気機能付き空調機に適用した実施形態を例示した断面図である。
【図１３】従来の換気システムのシステム構成を例示した平面模式図である。
【符号の説明】
【００４２】
１  静電霧化装置
１０１  吹き出し口
１０２  生成槽
１０３  液体溜め部
１０４  霧化手段
１０５  霧化槽
２  液体
３  ファン
４  フィルタ
５  ルーバー
５１  空気孔
６  電源部
７  帯電微粒子水
８  給気管
９  室内
１０  給気グリル
１１  排気口
１２  給気口
１３  排気グリル
１４  排気管
１５  熱交換換気ユニット
１６  空調機
１７  換気用の熱交換素子
１８  空調機用の熱交換素子
１９、２０  通気孔
F  室内吹き出し口部
ア  給気ファン
イ  室内
ウ  排気ファン
エ  トイレ
オ  洗面所
【図８】
2005233587.tif 000003
【図９】
2005233587.tif 000004
【図１０】
2005233587.tif 000005
【図１１】
2005233587.tif 000006
【図１２】
2005233587.tif 000007
【図１】
2005233587.tif 000008
【図２】
2005233587.tif 000009
【図３】
2005233587.tif 000010
【図４】
2005233587.tif 000011
【図５】
2005233587.tif 000012
【図６】
2005233587.tif 000013
【図７】
2005233587.tif 000014
【図１３】
2005233587.tif 000015